(57)【特許請求の範囲】
【請求項１】
回路遮断器であって、
電気回路に接続されるように設計された少なくとも１つの導電体（２）と、
ハウジング（１）と、
マトリクス（３）と、
第１の位置から第２の位置に移動するために前記ハウジング（１）に対して移動可能であるように設計されたパンチ（４）と、
パイロテクニックアクチュエータ（５）であって、前記パイロテクニックアクチュエータ（５）が点火されたときに前記パンチ（４）を前記第１の位置から前記第２の位置に移動させるように設計されたパイロテクニックアクチュエータ（５）とを備え、
前記パンチ（４）および前記マトリクス（３）が、前記パンチ（４）が前記第１の位置にあるときに、前記少なくとも１つの導電体（２）の両側に配置され、
前記パンチ（４）およびマトリクス（３）が、前記パンチ（４）が前記第１の位置から前記第２の位置に移動するときに、
前記少なくとも１つの導電体（２）を破断して、少なくとも２つの別個の部分（２１、２２）にし、また、
前記回路遮断器が、電気が流れている電気回路に接続されているならば、前記少なくとも２つの別個の部分（２１、２２）間の少なくとも１つの電気アークの、前記パンチ（４）と前記マトリクス（３）の間での確立をもたらすように設計されたパンチ−マトリクスユニットを形成するように配置される、回路遮断器であって、
前記パンチ−マトリクスユニットは、前記パンチ（４）が前記第２の位置にあるとき、前記少なくとも２つの別個の部分（２１、２２）間に少なくとも１つの通路（６）を可能にするように設計され、前記少なくとも１つの通路は、前記別個の部分（２１、２２）間の前記少なくとも１つの電気アークを誘導するように設計され、
前記パンチ−マトリクスユニットは、前記少なくとも１つの電気アークの電圧を増大させるのに適したガスを生成するために、前記少なくとも１つの電気アークによるアブレーションによって引き出されるように設計された少なくとも１つの材料を備え、
前記パンチ（４）が前記第２の位置にあるとき、前記パンチ（４）および前記マトリクス（３）が、前記少なくとも１つの通路（６）を除いて、互いに表面接触していることを特徴とする、回路遮断器。
【請求項２】
前記少なくとも１つの通路が、アブレーションによって引き出され得る材料によって少なくとも部分的に限定される、請求項１に記載の回路遮断器。
【請求項３】
前記少なくとも１つの通路（６）が、前記パンチおよび／または前記マトリクス内に形成される溝であることを特徴とする、請求項１または２に記載の回路遮断器。
【請求項４】
前記少なくとも２つの別個の部分（２１、２２）の各々が、前記パンチが前記第２の位置にあるとき、互いから分離された切断端部を有し、
前記少なくとも１つの通路が、前記切断端部間の最短経路にわたって設計されることを特徴とする、請求項１から３のいずれか一項に記載の回路遮断器。
【請求項５】
前記マトリクス（３）が、前記パンチ（４）が前記第２の位置にあるとき、前記少なくとも１つの通路（６）を除く、前記パンチ（４）との表面接触を保証するようにして弾性的に変形可能であるように設計されることを特徴とする、請求項１から４のいずれか一項に記載の回路遮断器。
【請求項６】
前記第２の位置にある前記パンチ（４）および前記ハウジング（１）が、少なくとも１つの切断室（７）を形成し、この少なくとも１つの切断室が、前記回路遮断器の外側に至る、蓋を備えた通気口（９）を備え、前記蓋は、前記少なくとも１つの切断室（７）と前記回路遮断器の外側との間の所定の圧力差を超えると破断するように設計されることを特徴とする、請求項１から５のいずれか一項に記載の回路遮断器。
【請求項７】
前記パンチ（４）が、前記少なくとも１つの導電体（２）を破断して、３つの別個の部分（２１、２２、２３）になるようにする２つの刃（８，８’）を備えることを特徴とする、請求項１から６のいずれか一項に記載の回路遮断器。
【請求項８】
前記マトリクス（３）が、前記パンチが前記第２の位置にあるとき、２つの切断室（７、７’）を画定するようにして前記２つの刃（８、８’）の間に設計されたカウンタフォームを備えることを特徴とする、請求項７に記載の回路遮断器。
【請求項９】
前記パンチ（４）が、所定の並進軸に沿って可動するように設計され、前記マトリクス（３）が、前記パンチ（４）の前記並進軸に対して対称的に設計されることを特徴とする、請求項８に記載の回路遮断器。
【請求項１０】
前記パンチ（４）が、前記第１から前記第２の位置への前記パンチ（４）の移動中に前記少なくとも１つの導電体（２）を漸進的に切断するために少なくとも１つの傾斜した刃を備えることを特徴とする、請求項１から９のいずれか一項に記載の回路遮断器。
【請求項１１】
アブレーションによって引き出されるように設計された前記材料が、ポリオキシメチレン（ＰＯＭ）であることを特徴とする、請求項１から１０のいずれか一項に記載の回路遮断器。
【請求項１２】
請求項１から１１のいずれか一項に記載の少なくとも１つの回路遮断器を備える、電流を分配するためのデバイス。
【請求項１３】
請求項１から１１のいずれか一項に記載の少なくとも１つの回路遮断器を備える、自動車。
【請求項１４】
電気エネルギーを貯蔵するための手段と、前記少なくとも１つの回路遮断器によって、前記電気エネルギーを貯蔵するための手段に接続された電気推進デバイスとを備える、請求項１３に記載の自動車。
【発明の詳細な説明】
【技術分野】
【０００１】
本発明は、一般に、自動車、特に電気車両上に装着されるよう意図されたパイロテクニックアクチュエータを備える回路遮断器に関する。
【背景技術】
【０００２】
そのような電気車両では、たとえば、事故が起きた場合に車両の残りの部分を安全にするために、エネルギー貯蔵デバイス（バッテリ、スーパーコンデンサ）を車両の残りの部分に接続する電気ラインを遮断する能力を提供することが必要である。関係する電力および電気回路の特徴により、電気アークが遮断中に起こり、これらのアークが制御されない場合、回路の遮断およびその完全性に問題を生じさせる。欧州特許第０３５９４６７Ａ２号に開示されるものなどの回路遮断器が、従来技術において知られており、これは、電気アークを消滅させるための特有の配置を提案している。他方では、このシステムは、特に、これが高い電圧および／または電流を有する電気回路を遮断するために使用される場合、嵩張るという欠点を有する。
【発明の概要】
【０００３】
本発明の目的は、従来技術の上記で引用した文献の欠点に対応することであり、特に、最初に、コンパクトであり、電気アークが形成される場合でも迅速な遮断をもたらす回路遮断器を提案することである。
【０００４】
この目的を達成するために、本発明の第１の態様は、回路遮断器であって、
−  電気回路に接続されるように設計された少なくとも１つの導電体と、
−  ハウジングと、
−  マトリクスと、
第１の位置から第２の位置に進むためにハウジングに対して移動可能であるように設計されたパンチと、
パイロテクニックアクチュエータであって、これが点火されたときにこのパンチを第１の位置から第２の位置に進めるように設計されたパイロテクニックアクチュエータとを備え、
パンチおよびマトリクスは、パンチが第１の位置から第２の位置に進むときに、
−  少なくとも１つの導電体を破断して、少なくとも２つの別個の部分にすることができ、また、
−  回路遮断器が、電気が流れている電気回路に接続されたとき、少なくとも２つの別個の部分間の少なくとも１つの電気アークの、パンチとマトリクスの間での確立をもたらすことができるように設計されたパンチ−マトリクスユニットを形成するように配置される、回路遮断器において、
パンチ−マトリクスユニットは、パンチが第２の位置にあるとき、少なくとも２つの別個の部分間に少なくとも１つの通路を可能にするように設計され、少なくとも１つの通路は、前記少なくとも１つの電気アークを別個の部分間に誘導するように設計され、
パンチ−マトリクスユニットは、前記少なくとも１つの電気アークの電圧を増大させるのに適したガスを生成するために、前記少なくとも１つの電気アークによるアブレーションによって引き出されるように設計された少なくとも１つの材料を含むことを特徴とする、回路遮断器に関する。
【０００５】
本発明による回路遮断器は、パンチが電流を２つの別個の部分になるように遮断したときに作り出される電気アークの形成を制御することを可能にする。実際、パンチが第２の位置にあるとき、通路がパンチ−マトリクスユニットによって形成され、それにより、電気アークまたはその複数のアークは、通路を通るように案内され、この通路は、その局在化を保証し、回路遮断器の残りの部分を損傷するリスクを抑える。さらに、回路遮断器の効率性および迅速性は、アブレーションによって引き出されるように設計された材料によって改良され、それによってパイロテクニックアクチュエータが機能した後に電気アークの電圧が増大すること可能にし、すなわち、回路遮断器は、別個の部分間の分離を増大させることなく端子における高い電圧に対しても効率的になり、それによってコンパクト性を改良する。実際、アブレーションによって引き出されるように設計された材料は、電気アークの強烈な熱の流れの作用の下で昇華され、それによって電気アークのプラズマの組成およびその伝導性を変更し、電気アークの電圧が増大することを可能にする。そのような電気アークは、回路遮断器が、５００Ａ未満の強度に対して２５００μＨ（マイクロヘンリー）まで、および５０００Ａの強度に対して１５０μＨまでの範囲の誘電電荷において０Ｖから６００Ｖの範囲の電圧および０Ａから５０００Ａの範囲の電流を有する、電流が流れている電気回路に接続されるときに生成され得る。パイロテクニックアクチュエータを備える回路遮断器は１回だけ使用することができるため、本発明の回路遮断器は、電流を１０ｍｓ未満、さらには５ｍｓ未満で決定的なやり方で確実に遮断することを可能にする。
【０００６】
通路は、有利には、パンチとマトリクスの間、またはこれらの部分の１つ内に形成され得る。
【０００７】
パンチまたはマトリクスのいずれかは、有利には、アブレーションによって引き出されるように設計された材料によって少なくとも部分的に実現される。
【０００８】
アブレーションによって引き出されるように設計された材料は、有利には、ＰＯＭ（ポリオキシメチレンまたはポリホルムアルデヒド）である。この実施によれば、アブレーションによって引き出される材料は、ＰＯＭが、非常に低い、すなわち１に近い、酸素原子の数に対する炭素原子の数の比を呈するため、電気アークの電圧を増大させるガス状混合物をアブレーション中に作り出すことを可能にする。また、エチレンポリエチレンテレフタラート（ＰＥＴ）、メチルポリメタクリレート（ＰＭＭＡ）、ブチレンポリテレフタレート（ＰＢＴ）、ポリエーテルスルホン（ＰＥＳＵ）またはさらにはポリアミド６−６（ＰＡ６．６）を用いることを企図することも可能である。
【０００９】
前記少なくとも１つの通路は、有利には、アブレーションによって引き出され得る材料によって少なくとも部分的に限定される。この実施は、回路遮断器の効率性を増大させ、その理由は、電気アークによるアブレーションによって引き出される材料が、そのすぐ近傍に位置し、それによって、材料のアブレーションによる電気アークの電圧の迅速な増大を保証するためである。
【００１０】
前記少なくとも１つの通路は、パンチまたはおよび／またはマトリクス内に有利に形成された溝である。次の寸法を有する溝を企図することが可能である：０．１から１ミリメートルの範囲の幅および０．１から１ミリメートルの範囲の深さ。そのような溝は、寸法がこの技術および射出材料に適合可能である場合はモールド成形によって、または再機械加工によって直接的に得られ得る。
【００１１】
パンチが第２の位置にあるとき、パンチおよびマトリクスは、有利には、前記少なくとも１つの通路を除いて緊密な調整で配置される。この実施によれば、パンチおよびマトリクスは、パンチの移動の不可逆性を保証するために緊密な調整を有し、それによって一方では、いかなる後部への移動も防止する。他方では、この緊密な調整は、良好な緊密性をもたらし、それによって、通路内ではなく他所にあるときの電気アークの通路に対して自然なバリアを形成する。その結果、電気アークは、通路を通過させられ、この通路は、自由のままであり、パンチおよびマトリクスが（あそびが存在するために）緊密な調整の状態ではないレベルにある。パンチとマトリクスの間に０から０．３ミリメートルの負のあそびを提供することを企図することが可能である。
【００１２】
有利には、
−  これらの少なくとも２つの別個の部分の各々は、パンチが第２の位置にあるとき、互いから分離された切断端部を有し、
−  少なくとも１つの通路は、切断端部間の最短経路上に設計される。通路が切断端部間の最短経路上に形成された後、この電気アークの経路は最小のエネルギーしか必要としない経路であるため、ここでは優先される。
【００１３】
回路遮断器は、有利には、パンチ用の案内部分と、マトリクス用の補強部分とを備えるインサートを備える。この実施によるインサートは、単一の連続的なモノブロック片であり、このモノブロック片は、パンチを案内する機能およびマトリクスを補強する機能を組み合わせる。組み立ては、これを導電体上にモールド成形することによって行うことができ、それによって（インサートの案内部分によって案内される）パンチおよび（それによって補強部分によって補強されて位置決めされる）マトリクスとの間のずれのリスクを最小限に抑える。
【００１４】
インサートは、有利には、３０％のガラス繊維が充填されたポリアミド６−６（ＰＡ６．６）から作製される。
【００１５】
インサートは、有利には、パンチ間の機械的止めブロック内に入るように設計され、したがって第２の位置を画定する面を備える。
【００１６】
マトリクスは、有利には、パンチが第２の位置にあるとき、前記少なくとも１つの通路を除く、パンチとの表面接触を保証するようにして弾性的に変形可能であるように設計される。電気アークの経路は、通路内にあるとき、マトリクス内のパンチ間の表面接触によってより一層難しくなる。
【００１７】
マトリクスは、有利には、これと補強部分との間に設計されたくぼみを備える。このくぼみは、マトリクスを、それ自体をパンチと位置合わせするために移動させ、および／またはパンチの作用の下で変形させ、パンチとマトリクスの間の良好な緊密性を確実にすることを可能にする。くぼみが０から２ミリメートルの間で含まれ、より具体的には０から１ミリメートルの間で、非常に有利には０から０．５ミリメートルの間で含まれることを企図することが可能である。
【００１８】
マトリクスは、有利には、２つのくぼみをマトリクスと補強部分の間で分離する補強部分との接続点を備える。この実施は、マトリクス壁が崩壊せずに接続点の周りで枢動することを可能にする。この接続点は、電気アークを確立するのに利用可能な通路のセクションを制御するようにして通路に面して置かれ得る。
【００１９】
第２の位置にあるパンチおよびハウジングは、有利には、少なくとも１つの破断室を形成し、この少なくとも１つの破断室は、回路遮断器の外側に至る、蓋を備えた通気口を備え、この蓋は、前記少なくとも１つの破断室と回路遮断器の外側との間の所定の圧力差を超えると破断するように設計される。この実施は、破断室内に、所与の圧力で開くように較正された安全弁を提案する。これにより、デバイスが正常な状態を超えて機能する場合にデバイスの完全性に問題を生じさせることなく過剰圧力を排出することを可能にしながら、公称状態下での緊密なシステムを保証する。
【００２０】
パンチは、有利には、少なくとも１つの導電体を３つの部分になるように破断するようにして２つの破断縁を備える。この実施は、２つの電流アークを互いに直列に作り出させ、それによって回路遮断器の遮断特性を増大させる。
【００２１】
回路遮断器は、有利には、パンチ用の案内部分と、マトリクス用の補強部分とを備えるインサートを備える。この実施によるインサートは、単一の連続的なモノブロック片であり、このモノブロック片は、パンチを案内する機能およびマトリクスを補強する機能を組み合わせる。組み立ては、これを導電体上にモールド成形することによって行うことができ、それによって、（インサートの案内部分によって案内される）パンチと、（それによって補強部分によって補強されて位置決めされる）マトリクスとの間のずれのリスクを最小限に抑える。
【００２２】
マトリクスは、有利には、パンチが第２の位置にあるとき、２つの破断室を画定するようにして２つの破断縁間に設計されたカウンタフォームを備える。
【００２３】
パンチは、有利には、並進の所定軸に沿って可動するように設計され、マトリクスは、パンチの並進の軸に対して対称的に設計される。切断ひずみが、対称的に分散され、それによって詰まりのリスクを抑える。
【００２４】
パンチは、有利には、第１から第２の位置への通過中、少なくとも１つの導電体を漸進的に切断するために少なくとも１つの面取りされた切断縁を備える。この実施における切断応力は、各々のセクションが一度で切断される導電体の真っすぐな切断によって必要とされるものより小さい。これは、実施される圧力を低減し、また、この漸進的な面取りされた切断部によって回路遮断器の嵩も低減する。
【００２５】
面取りされた切断縁は、有利には、パンチの移動の方向に対して９０°（端子は除く）から７５°の間に含まれる角度を有する。
【００２６】
パンチは、有利には、切断縁の中央に位置決めされた「Ｖ字」の先端部を有する「Ｖ字」の形状の切断縁を備え、それにより、「Ｖ字」の先端部が、導電体を切断することを終了する。これは、デバイスの中央内の電気アークの確立およびあそび内の力のより良好なバランスを可能にする。この実施においては、通路は、「Ｖ字」の延長部内またはその先端部に面して配置される。
【００２７】
本発明の第２の態様は、本発明の第１の態様による少なくとも１つの回路遮断器を備える、電流を分配するためのデバイスに関する。
【００２８】
本発明の第３の態様は、本発明の第１の態様による少なくとも１つの回路遮断器を備える自動車に関する。
【００２９】
自動車は、有利には、電気エネルギーを貯蔵するための手段と、前記少なくとも１つの回路遮断器によって、電気エネルギーを貯蔵するための手段に接続された電気推進デバイスとを備える。
【００３０】
本発明の別の目標は、破断室を備えたパイロテクニック回路遮断器であって、製造が容易であり、電気アークまたはその複数のアークによって加熱されたガスの閉じ込めを保証するために、また、国際的な標準ＣＥＩ６０５２９ｅｎによる保護ＩＰ６７に示すように、デバイスの作動前にその外側から生じるガス、湿度、または埃によるデバイスの内部の汚染がないことを保証するために作動中シールをもたらす、パイロテクニック回路遮断器を提案することである。
【００３１】
この目的を達成するために、本発明の第４の態様は、パイロテクニック回路遮断器であって、
−  少なくとも１つの破断室を備えたハウジングと、
−  前記少なくとも１つの破断室のハウジングの少なくとも一部を横切って区分化される少なくとも１つの導電体と、
−  前記少なくとも１つの破断室に面してハウジング内に配置された少なくとも１つのパンチであって、第１の位置と第２の位置の間を移動することができ、第１から第２の位置へのパンチの通過中、前記少なくとも１つの導電体を区分化するように設計される、少なくとも１つのパンチと、
−  少なくとも１つのパイロテクニックアクチュエータであって、これが起動されるときに前記パンチを第１の位置から第２の位置に進めるように設計された少なくとも１つのパイロテクニックアクチュエータと、
−  前記少なくとも１つの導電体上にモールド成形されたインサートとを備える、パイロテクニック回路遮断器において、
ハウジングが、第１のハウジング部および第２のハウジング部を備え、このとき、この少なくとも１つの破断室のシールを確実にするために、少なくとも１つのシーリング手段が、インサートと、第１のハウジング部および／または第２のハウジング部のうち１つとの間にあることを特徴とする、パイロテクニック回路遮断器に関する。
【００３２】
上記の実施による回路遮断器は、シーリング手段による前記少なくとも１つの破断室の良好なシールを確実にする。しかし、インサートが、導電体自体上にシーリング界面を提供する必要を回避し、これらをインサート上に戻すことを回避するため、依然として製造が容易である。したがって、これらの支承表面は、たとえば、トーリックジョイント（ｔｏｒｉｃ  ｊｏｉｎｔ）などのシーリング手段の埋め込みを容易にするために滑りを有さずに連続的になることができる。換言すれば、シールは、毎回互いに面する２つの部分のみの間、すなわち一方では第１のハウジング部とインサートの間、および他方では第２のハウジング部とインサートの間で実現される。
【００３３】
少なくとも１つの導電体は、有利には、パンチが第１の位置にあるとき、前記少なくとも１つの破断室とパンチの間に配置される。
【００３４】
第１のハウジング部および第２のハウジング部は、有利には、各々がインサートと接触する。これは、デバイスのさまざまな要素間のひずみの良好な通路を可能にし、組み立ての良好な抵抗を確実にすることを可能にする。
【００３５】
インサートは、有利には、第１のハウジング部と第２のハウジング部の間に配置され、回路遮断器は、インサートと第１のハウジング部の間の第１のシーリング手段と、インサートと第２のハウジング部の間の第２のシーリング手段とを備える。
【００３６】
インサートは、有利には、前記少なくとも１つの破断室を取り囲む。この実施は、インサート上のシールが連続的であることを保証する。インサートが、導電体の両側で前記少なくとも１つの破断室を取り囲む、またはこれに外接することを企図することが可能である。この実施では、前記少なくとも１つの破断室は、インサートによって部分的に画定することができ、導電体とハウジングの間にジョイントを提供する必要はない。
【００３７】
第１のハウジング部および第２のハウジング部は、有利には、パンチの移動の１つの方向に沿ってインサート上に組み付けられるように各々配置される。最終の組み立てられた位置になるために、組み立て中、インサート上で摺動するハウジング部分による雄型−雌型組み立てを企図することも全く可能である。したがって、第１の部分および第２の部分が、同じ部分、すなわちインサートに対して位置決めされるため、パンチの案内は改良される。
【００３８】
パンチは、有利には、パンチとインサートおよび／またはハウジングとの間のシールを確実にするためにシーリングゾーンを備える。このシールは、電気アークまたは複数のアークに対するパイロテクニックアクチュエータの燃焼ガスのいかなる影響も回避するために、回路遮断器の燃焼室と前記少なくとも１つの破断室との間に設けられ得る。
【００３９】
インサートは、有利には、少なくとも２つの別個のゾーン上の前記少なくとも１つの導電体を取り囲む。この実施は、導電体自体上でシーリング機能が行われないことを保証することを可能にする。このシールを導電体の周りに作製するのは、モールド成形によるものである。換言すれば、導電体と第１および第２のハウジング部との間にシールが設けられる必要はない。
【００４０】
第２の位置にあるパンチは、有利には、前記少なくとも２つの別個のゾーンの間に配置される。
【００４１】
インサートは、有利には、前記少なくとも１つの導電体の保持手段内に配置された少なくとも１つのモールドオンされた（ｍｏｕｌｄｅｄ−ｏｎ）部分を備える。保持手段は、１つまたはいくつかの穴、空洞または切断部の形状を有することができる。この実施は、インサートと導電体との一致性の増大を可能にし、したがって、２つの部分間のシールを改良することを可能にする。
【００４２】
前記少なくとも１つのシーリング手段は、有利には、ジョイントを備える。トーリックジョイントが企図され得る。
【００４３】
回路遮断器は、有利には、２つのジョイントを備え、インサートは、２つのジョイント支承表面を備え、その各々は、第１のハウジング部のジョイント支承表面および第２のハウジング部のジョイント支承表面に面する。
【００４４】
シーリング手段を実現するために１つまたは複数のトーリックジョイントを提供することが可能である。特に、０．５から０．８ｍｍまでの範囲の圧縮を有して２ｍｍから３ｍｍの間に含まれる直径を有するトーリックジョイントを提供することが可能である。より正確には、０．７ｍｍ±０．１５ｍｍの圧縮を有して２．５５ｍｍ±０．１５ｍｍの直径を有するトーリックジョイントを提供することが可能である。
【００４５】
回路遮断器は、有利には、少なくとも１つのモールドオンされたシーリングリップを備える。
【００４６】
第１のハウジング部および第２のハウジング部は、有利には、溶接される。各々のハウジング部は、インサート上に溶接され得る。
【００４７】
本発明の他の特徴および利点は、例として非限定的に与えられ、かつ添付の図に示された、本発明の詳細な以下の実施形態の読み取りからより明確に現れるであろう。
【図面の簡単な説明】
【００４８】
【図１】作動前の本発明によるパイロテクニック回路遮断器の断面斜視図である。
【図２】回路遮断器の機能後の図１の断面からの詳細図である。
【図３】図２の軸ＩＩＩ−ＩＩＩに沿った回路遮断器の部分断面図である。
【図４】図１からの詳細ＩＶの斜視図である。
【発明を実施するための形態】
【００４９】
図１は、本発明による回路遮断器の斜視図を断面で示す。ハウジング１は、導電体２によって部分的に横切られ、導電体の端部は、回路遮断器用の２つの接続端子を形成する。回路遮断器は、回路遮断器の作動の前に図１に示すように導体２の両側に配置されたパンチ４およびマトリクス３を備える。
【００５０】
パンチ４は、マトリクス３に面するその上側部分上に、２つの切断縁８および８’によって限定された溝と、切断縁８をパンチ４の溝の底部に接続する縦方向の溝である通路６とを備える。見ることはできない別の通路が、切断縁８’をパンチ４の溝の底部に接続する。通路６の有用性は、特に図３に関連する段落内で説明される。
【００５１】
パンチ４は、ここでは、導電体２が統合される第１の位置で示される。これを切断するために、回路遮断器は、パイロテクニックアクチュエータ５（図２にのみ見ることができる）を備え、このパイロテクニックアクチュエータ５は、パンチ４を図２に示すなどのように第２の位置に進めるように設計される。
【００５２】
たとえば、導電体２は、２ｍｍ×１６ｍｍのセクション、パンチ４に面する１．２ｍｍの残留厚さを有することができ、パンチ４の溝は、５ｍｍ±１ｍｍの長さを有する。
【００５３】
図２は、したがって、機能後の図１の回路遮断器、すなわち導電体２が３つの別個の部分２１、２２、および２３に分離された回路遮断器を示す。この結果を得るために、パンチ４の下方に位置するパイロテクニックアクチュエータ５（たとえば電子パイロテクニック点火装置を備える）が点火され、燃焼室４１を加圧するようにしてガスを生成した。
【００５４】
燃焼室４１内のガスおよびその圧力の効果の下、パンチ４は、並進移動中、第２の位置に進み、したがってその間、導電体２は、３つの別個の部分２１、２２および２３に分離された。図１または３に示されるように、切断縁８および８’は、直線ではなくＶ字形であり、それによって導電体２のセクション全体の同時切断に必要であるものより小さい切断ひずみで導電体２を漸進的に切断するようにする。実際、パンチ４の移動方向に対して垂直に面取りされる、または面取りされないこれらの切断縁８および８’により、導電体２の切断は、漸進的となる。
【００５５】
パンチ４は、燃焼室４１の良好なシールを保証するためにトルクジョイントが中に装着された溝を備えることが留意され得る。したがって、これは、可能な限り高いパンチ４の切断応力を達成し、パイロテクニックアクチュエータ５のガスは、切断室７および７’内に入ることができず、それによってパイロテクニックアクチュエータ５のガスによる電気アークのプラズマの可能性のある汚染を抑える。
【００５６】
パンチ４が第２の位置にある状態で、パンチ４の溝はマトリクス３内に係合され、２つの別個の切断室７および７’が、形成された。導電体２の部分２１は、したがって、パンチ４による導電体２の部分２２から物理的に分離され、それによって、部分２１と２２の間に直接的に電気アークを作り出す可能性を抑え、第２の位置においてパンチ４がマトリクス３上に緊密に装着されるとき、さらに一層そのようにする。
【００５７】
このタイプの調整は、いくつかの結果を達成する。一方では、第２の位置にパンチ４を維持することは、切断室７および７’の分離が時間内に保証されるようにしてこうして緊密に装着することによって保証される。回路遮断器は、関係する切断室７または７’内の圧力が閾値を超えたときのみ開くような、各々の切断室７および７’のための蓋（図１に見ることができる）を備えた通気口９を備えることに留意されたい。
【００５８】
他方では、緊密な調整は、パンチおよび／またはマトリクス３の弾性および／または可塑性変形をもたらすまたは作り出すことを可能にし、パンチおよびマトリクス３は、したがって、切断室７と７’の間の端部において良好なシールを有して互いに表面接触する。このシールにより、切断室７および７’と別個の部分２１、２２の間に電気アークを作り出すことを回避することを可能にする。しかし、上記で引用したように、通路６は、図３に示すように、パンチ４の溝の底部においてパンチ４の切断縁８および８’を接続し、この通路６は、導電体２の切断中に作り出された電気アークを確実に位置付けることを可能にする。第１のアークは、したがって、別個の部分２１と別個の部分２３の間に形成することができ、第２のものは、別個の部分２３と別個の部分２２の間に形成することができる。
【００５９】
マトリクスは、０から２ミリメートルに、好ましくは０から１ミリメートルに、さらにより好ましくは０から０．５ミリメートルに変形され得る。この目的を達成するために、くぼみが、マトリクス３とインサート３１の間で形成され、このくぼみは、そのような移動および／または変形を許す。
【００６０】
図１の詳細ＩＶのインサート３１の一部の斜視図である図４に示すように、インサート３１は、マトリクス３との界面に沿ってくぼみを備える。このくぼみは、インサート３１の一部３１によって画定される。部分３１ａは、マトリクス３用の止め部を形成し、マトリクス３が部分３１ａの上方に変形される可能性を残しながら、これが、導体２の切断の瞬間に導体２の長さにわたってそれ自体を再締め付けすることを防止する。変形のこの自由度は、第２の位置にあるマトリクス３内のパンチ４間の通路６を除く、良好な表面接触を保証することを可能にする。
【００６１】
たとえば、部分３１ａの高さは、０．５ｍｍから５ｍｍの間で含むことができ、くぼみは、０．５ｍｍから１ｍｍの長さの低減を有することができる。
【００６２】
インサート３１は、ポリアミド６．６から作製することができ、マトリクス３を補強する主な機能を有する。したがって、図示するように、インサート３１は、パンチ４が中を摺動する孔を形成し、それにより、これらが同じ部分であるため、マトリクス３内のパンチ４間の直接的な位置決めを提供する。
【００６３】
図１および図２に示すように、ハウジング１は、モールドオンされたインサート３１の各々の側に第１のハウジング部および第２のハウジング部を備えた２つの別個の部分によって形成され、モールドオンされたインサート３１は、組み立て中、上側ハウジングおよび下側ハウジングを受け取ることを可能にする２つの雄型部分を備える。
【００６４】
上記で見たように、切断室７および７’ならびにパンチ４は、通路内でアークを確立させるようにして画定され、それによって切断室７と７’の間の連通通路としてこの通路だけを可能にする。モールドオンされたインサート３１ならびに第１のハウジング部とモールドオンされたインサート３１の間の少なくとも１つのトーリックジョイント３２は、切断室７および７’内に自然の存在するガスを、これらのガスが電気アークによって再加熱される場合であってもその切断室内に閉じ込めることを可能にする。
【００６５】
さらに、モールドオンされたインサート３１は、別個の部分２１および２２の各々ならびに切断室７および７’を完全に取り囲むため、シーリング界面は、次いで、この場合のように、トーリックジョイント３２が、第１のハウジング部の傾斜した部分内に装着され、かつモールドオンされたインサート３１によって圧縮される状態で設計することが特に容易である。２つの部分のみが、トーリックジョイント３２と接触し、それによって簡単な装着および設計を提供する。
【００６６】
たとえば、トーリックジョイント３２は、２．５５ｍｍの直径を有し、０．７ｍｍだけ圧縮されることが、提供され得る。
【００６７】
したがって、ガス漏出（場合によっては電気アークの漏出）は、切断室７および７’内で、少なくとも２ＭＰａに等しい圧力、好ましくは３ＭＰａ、さらにより好ましくは５ＭＰａの圧力まで防止される。
【００６８】
さらに、シーリングによって結合された、モールドオンされたインサート３１は、規格ＤＩＮ４００５０、ＣＥＩ６０５２９またはＢＳ５４９０において規定されたようなレベルＩＰ６７を有するシールを得ることを可能にする。これは、回路遮断器内に本体が少しでも侵入しそれによってその機能を変え得ることを回避することを可能にする。これは、回路遮断器が、車両内でより多くの場所に位置決めできることを可能にする。
【００６９】
また、図１および２でわかるように、第２のハウジング部とモールドオンされたインサート３１の間に第２のトーリックジョイントを提供することも可能になり得る。
【００７０】
したがって、デバイスのシールは、常に、２つの部分間に界面において確実にされ、デバイスにモールドオンされたインサート３１が提供されなかった場合のように３つの部分の界面においてではない。換言すれば、本発明のこの態様は、インサートとハウジング部の１つとの間だけに一度確実にされるシールを有するために、導電体上にモールド成形されたインサートを提案する。
【００７１】
図３は、（明確にする理由のために示されない）マトリクス３を有さない、図２の軸ＩＩＩ−ＩＩＩに沿った回路遮断器の部分断面図である。導電体２の部分２１は、切断縁８によって上方向に移動され、パンチ４の切断縁８のＶ字形状のためにＶ字に折り畳まれた。導電体２の部分２３は、パンチ４に溝の底部に残ったままであり、図３は、切断縁８をパンチ４の溝の底部に接続する通路６を示す。
【００７２】
回路遮断器が設けられる回路の電気特性（５００Ａ未満の強度に対して２５００μＨ（マイクロヘンリー）までおよび５０００Ａの強度に対して１５０μＨまでの範囲の誘電電荷において０Ｖから６００Ｖの範囲の電圧、および０Ａから５０００Ａの範囲の電流）により、電気アークは、パンチ４が第１の位置から第２の位置に進み、導電体２を切断するときに形成される。この電気アークは、パンチ４が第２の位置にあるとき、以下に与えられる理由のために通路６を通って自然に進行する。
【００７３】
最初に、パンチ４およびマトリクス３は、緊密な調整状態にあり、通路６のみが、切断室７とパンチ４の溝の底部との間の自由通路である。最終的には、通路６は、導電体２の部分２１と導電体２の部分２３の間の最短通路において配置される。実際、通路６は、導電体２の部分２１のＶ字の下側の部分のレベルにおいてその上側部分内では空になる。３つの別個の部分になるように切断することにより、２つの電気部分が直列に作り出され、それによってアークの総電圧、したがって回路遮断器の端子上の電圧を増大させ、電流回路内の電流値を打ち消すことを可能にする。
【００７４】
通路６により、電気アークは、局所化され、通路６を通りすぎなければならない。本発明は、電気アークが形成されたときに電気アークの電圧を増大させることを追加して提案する。これを達成するために、アブレーションによって引き出されるように設計された材料が、電気アークがそこに存在するという理由で通路６の近傍に供給される。アブレーションによって引き出される（または浸食される）ように設計されたこの材料は、電気アークによって課された熱の強い流れによって昇華され、および／または蒸発され、それによって電気アークのプラズマの組成、したがってその伝導性を変更する。アブレーションによって引き出される材料をプラスチックの中から選択することにより、アークの端子上の電圧は増大され、良好な結果が、ＰＯＭと呼ばれるポリオキシメチレン（またはポリホルムアルデヒド）によって得られ、その理由は、この材料は、酸素原子に対する炭素原子の比が低いためである。
【００７５】
最後に、通路６のサイズは、アブレーションによって引き出される材料の量を調節することができ、通路６を形成する溝のサイズが小さいほど、浸食が大きくなることが留意され得る。良好な結果は、０．１から１ミリメートルの範囲の幅および０．１から１ミリメートルの範囲の深さを有する溝によって得られる。
【００７６】
当業者に明白であるさまざまな改変形態および／または改良が、添付の特許請求の範囲によって定義された本発明の範囲から離れることなく、本明細書において説明される本発明のさまざまな実施形態に加えられ得ることが理解される。
【図１】
0006433518.tif 000002
【図２】
0006433518.tif 000003
【図３】
0006433518.tif 000004
【図４】
0006433518.tif 000005